(57)【要約】      （修正有）【課題】伸縮性のある素材を使用し手袋を形成し、手に適度に密着した状態での、水回りの掃除を可能にした掃除用手袋を提供する。【解決手段】伸縮性のある素材を使用し手袋２を形成する。この手袋にネット状の素材３を束ねたものを装着し広い箇所の掃除を行い、また、指先につけた研磨剤入りのスポンジ１で狭い箇所やこびりついた汚れをこすり取る。また、手袋の親指位置が他の４本の指と同じ位置にあるので左右兼用となる。水回りの掃除を一つの掃除用具で可能としたものである。【選択図】図１
0003194743.tif 000002
【実用新案登録請求の範囲】
【請求項１】
伸縮性の素材で手袋を形成しているのを特徴とする。手の大きさに関わらず手袋が手に密着するので、自らの手で掃除するかのような使用感を可能とした。
【請求項２】
手の平側に装着したネット状の素材を束ねたものと、指先部分の研磨剤入りのスポンジで、掃除用具を持ち替えることもなく、一つの手袋で隅々まで掃除することを可能とした点が特徴である。。
【請求項３】
全ての指の付け根位置を同じ位置に形成しているという点が特徴である。伸縮性の素材を使用しているので違和感なく使用することが可能である。このため右手でも左手でも使用が可能である。
【請求項４】
防水性のある素材（ゴム手袋）と縫い合わせていないので、素手に装着したり、ゴム手袋や使い捨て手袋の上からでも装着が可能である点が特徴である。
【考案の詳細な説明】
【技術分野】
【０００１】
本考案は、伸縮性のある素材で手袋を形成し、その手袋に掃除用具を装着し、手袋が手に密着した状態で掃除をすることを可能にした、掃除用の手袋に関するものである。
【背景技術】
【０００２】
従来、水回りの掃除用具として、手袋型やミトン型の掃除用具がある。また、ブラシやスポンジ等を手で持ち掃除するもの(特許文献１）や、風呂場専用の掃除用具として、長い柄に掃除用具がついたものもある。
【先行技術文献】
【特許文献】
【０００３】
【特許文献１】特許公開２００１−７８９４０
【考案の概要】
【考案が解決しようとする課題】
【０００４】
しかしながら、手袋型やミトン型の掃除用具は手の小さい女性では、指先や手の平部分が余ってしまい、手に密着しないため掃除中に手袋の中で手が動いてしまう。また、細かい箇所や狭い箇所の掃除では指先が余ってしまうため指先の感覚が鈍くなり掃除がしずらいという欠点があった。
【０００５】
現在、市販されている商品は防水性のある素材（ゴム手袋）と掃除用のスポンジとの２層構造になっているため、、内部が蒸れてしまったり、使用とともに内部の素材が劣化してしまい、装着したときに不快感がある。また指先に厚みが出てしまい、余計に細かい箇所の掃除がしにくいという欠点があった。
【０００６】
手で握るブラシやスポンジ、柄の長い掃除用具は持ち手や柄の付け根があたるため、狭い箇所や細かい作業がしにくいという欠点があった。また、掃除用具を手で持ち替えたり落としたりという欠点もあった。
【課題を解決するための手段】
【０００７】
そこで本考案にあたっては上記課題を解決するため、伸縮性のある素材を使用し手袋を形成し、手の大きさに関わらずそれぞれの人の手に適度に密着した状態での掃除を可能にした。
【０００８】
尚且つ、ネット状の素材を束ねたものを手の平側に装着し広い箇所の掃除を行い、指先につけた研磨剤入りのスポンジで狭い箇所やこびりついた汚れをこすり取るという掃除を一つの掃除用具で可能とした。
【考案の効果】
【０００９】
手の大きさに関わらず手袋が手に密着することで掃除中に手袋がずれたり、脱げたり、ということがなく、自らの手で掃除するかのような使用感を可能とした。
【００１０】
手の平側に装着してあるネット素材を束ねたものは、従来体を洗浄する際に使用されるが洗剤の泡立ちを良くするという特徴があるので、泡で包むように汚れを洗浄できる。指先部分の研磨剤入りのスポンジでは狭い箇所やこびりついた汚れをこすりとることが可能である。このように、掃除用具を持ち替えることもなく、一つの手袋で隅々まで掃除をすることを可能とした。
【００１１】
通常の手袋は親指の付根部分が他の４本の指の付け根より手首よりについているが、本考案の手袋は全ての指の付け根位置は同じ位置に形成している。伸縮性の素材を使用することで、装着するときに親指側を引っ張りながら装着することで違和感なく使用することが可能である。このため右手でも左手でも使用が可能である。
【００１２】
直接，素手に装着したり、ゴム手袋や使い捨て手袋の上かでも装着が可能である。防水性のある素材（ゴム手袋）と縫い合わせていないため生産性のコストを抑えられると共に、直接手に触れるゴム手袋等も頻繁に取り換えることができる。
【図面の簡単な説明】
【００１３】
【図１】本考案の正面図（手の平側）である。
【図２】本考案の裏図面（手の甲側）である。
【図３】本考案の側面方向からの断面図である。
【考案を実施するための形態】
【００１４】
以下、本考案の実施の形態について、図を参照にしつつ詳細に説明すれば、図１は正面図（手の平側）の図である。手首よりメリヤス編み等で編み始める。ネット状の素材を束ねたもの（図１・３の３  参照）は手袋が編み終った最後に取り付ける。取り付け位置は手の平の中心辺りと、掃除中、ネットが動き過ぎないようにするために、中指根元と手首付近にも、縫い留める。（図３の６  参照）
【００１５】
図２は裏図面（手の甲側）の図である。編み始めは第３関節が隠れるほどの位置（手首から５〜６センチ上）から編み始める。手の甲が出た状態となるため、着脱がしやすくなるとともに、使用糸の削減になり生産性のコストを下げることもできる。手の甲側の手首には、平ゴム（図２・３の５参照）をつけ手袋が手首に密着できるようにした。
【００１６】
図３は側面方向からの断面図である。手袋の指部分は第１関節辺りで編み終わりとする。指先部分には研磨剤入りのスポンジ（図１・２・３の１  参照）を指先の形に合わせて筒状に縫い、手袋の指先部分につける。
【００１７】
手袋の素材は着脱時に滑りを良くするため、布巻した丸ゴム（マスク等に使用されているゴムが最適）を使用する。ゴムの伸縮率は２５０パーセントでゴム芯１本を使用。２．５倍に伸びる事を考え小さめに形成する。（手の平、甲幅は１０センチを目安にする。）
【実施例】
【００１８】
風呂掃除の場合、壁、床、浴槽等広い箇所については、ネット状の素材を束ねたものに洗剤をつけ手の平を広げて洗う。浴槽の蓋については、蓋の溝に沿わせて指先を広げることで溝部分の汚れも落とせる。洗面器やシャンプー容器等は手でつかみながら洗うことができる。蛇口やシャワーホース等細長いものについては、手で握りこみ手首を返しながら洗うことができる。水垢やこびりついた汚れ等は指先でこすることで汚れを落とすことができる。現在、エコロジーな観点から自然派石けんを使用しての掃除が注目されているが本考案の掃除用手袋は石けんでの掃除用としては、最適である。
【符号の説明】
【００１９】
１  研磨剤入りのスポンジ
２  手の平側  伸縮性素材で編んだ手袋
３  ネット状の素材を束ねたもの
４  手の甲側  伸縮性素材で編んだ手袋
５  平ゴム
６  縫い留め位置
【図１】
0003194743.tif 000003
【図２】
0003194743.tif 000004
【図３】
0003194743.tif 000005
【手続補正書】
【提出日】平成26年9月19日(2014.9.19)
【手続補正１】
【補正対象書類名】実用新案登録請求の範囲
【補正対象項目名】全文
【補正方法】変更
【補正の内容】
【実用新案登録請求の範囲】
【請求項１】
伸縮性の素材で手袋を形成していることを特徴とする掃除用具付伸縮性手袋。
【請求項２】
手袋の手の平と指先に掃除用具であるネット状素材を束ねたものと研磨剤入りのスポンジを装着したことを特徴とする請求項１記載の掃除用具付伸縮性手袋。        
【請求項３】
手袋の指の付け根位置を全て同じ位置に形成していることを特徴とする請求項１記載の掃除用具付伸縮性手袋。